(57)【要約】【課題】  発着信が完了した後に、発信者側から任意のタイミングで着信した端末とは異なる端末に対してメッセージを送信することができ、さらに、発信者側で発信端末と異なる端末を情報通知のための契機を発生させる。【解決手段】  本発明は、同一のユーザが利用、または、所有する携帯端末と固定端末で発信側と着信側で端末識別子、電話番号、ＩＰアドレスなどのＵＲＬ等の情報を交換しあい、発信側の携帯端末からの発呼に対して着信側の携帯端末が応答しない場合、発信側の携帯端末が端末間通信サーバに発信側の固定端末のへのメッセージの送信指示を要求し、端末間通信サーバからの通知により発信側の固定端末は発信先のアクセス情報とメッセージ番号を呼処理サーバに送信し、呼処理サーバはアドレス変換サーバからメッセージ番号に対応するメッセージを取得し、発信先のアクセス情報に基づいてメッセージと発信元の情報を着信側の固定端末へ送信する。【選択図】  図１
2012023570.tif 000002
【特許請求の範囲】
【請求項１】
発信側及び着信側のそれぞれのユーザが２つ以上の端末を利用している端末間連携システムであって、
発信側端末、着信側端末、前記発信者側から前記着信者側に通知したいメッセージを発信側端末の識別子と共に格納したメッセージ記憶手段を有するアドレス変換サーバ、呼処理サーバ、端末間通信サーバを有し、
前記発信側端末Ａ−１は、
同一ユーザＡが所有または利用している少なくとも１つの他の端末Ａ−２の識別子及びアクセスを可能とするアクセス情報を保持する第１の端末情報記憶手段と、
前記着信側端末が未応答のまま切断した後に、前記第１の端末情報記憶手段を参照して、前記同一ユーザが所有または利用している他の端末Ａ−２のアクセス情報を取得して、発信先の番号または識別子を前記端末間通信サーバを介して該他の端末Ａ−２に通知する第１の通知手段と、を有し、
前記端末Ａ−２は、
前記着信側端末に送信したいメッセージの識別子及び発信先情報を指定し、前記呼処理サーバに送信する第２の通知手段、を有し、
前記呼処理サーバは、
前記端末Ａ−２から取得した前記メッセージの識別子及び前記発信先情報に基づいて、前記アドレス変換サーバにアクセスしてメッセージを取得し、該発信先情報に基づいて指定された発信先に送信するメッセージ中継手段を有し、
前記アドレス変換サーバは、
前記呼処理サーバからメッセージの要求があると前記メッセージ記憶手段からメッセージを検索して返却するメッセージ検索手段を有し、
前記着信側端末Ｂ−１は、
同一のユーザＢが所有または利用している少なくとも１つの他の端末Ｂ−２の識別子及びアクセスを可能とするアクセス情報を保持する第２の端末情報記憶手段と、
前記呼処理サーバを介して、前記メッセージを受信した際に、前記第２の端末情報記憶手段を参照して、該メッセージを前記同一のユーザＢが所有または利用している他の端末Ｂ−２のいずれかに対して通知する第３の通知手段と、を有し、
前記第３の通知手段により前記メッセージを受信した前記端末Ｂ−２は、
該メッセージに応じた動作を行うメッセージ実行手段と、
を有することを特徴とする端末間連携システム。
【請求項２】
前記発信側端末Ａ−１及び前記着信端末Ｂ−１は、
メッセージ送受信と同時に、メッセージの発信先、送信元の番号または識別子と共に、送受信の時刻を記録する履歴情報記憶手段と、
前記第１の通知手段は、
前記履歴情報記憶手段を参照して、現在時刻に最も近い時刻の送受信の時刻の発信先または送信元の番号または識別子を、前記端末間通信サーバを介して該他の端末Ａ−２に通知するする手段を含む
請求項１記載の端末間連携システム。
【請求項３】
前記アクセス情報をＵＲＬとする
請求項１記載の端末間連携システム。
【請求項４】
前記メッセージ記憶手段に、
前記メッセージの代わりに、発信者のＵＲＬを格納する
請求項1記載の端末間連携システム。
【請求項５】
発信側及び着信側のそれぞれのユーザが２つ以上の端末が利用可能な環境において、メッセージを送受信する端末間連携方法であって、
発信側端末、着信側端末、前記発信者側から前記着信者側に通知したいメッセージを発信側端末の識別子と共に格納するメッセージ記憶手段を有するアドレス変換サーバ、呼処理サーバ、端末間通信サーバを有するシステムにおいて、
前記発信側の端末Ａ−１は、
前記着信側端末が未応答のまま切断した後に、同一ユーザＡが所有または利用している少なくとも１つの他の端末Ａ−２の識別子及びアクセスを可能とするアクセス情報を保持する第１の端末情報記憶手段を参照して、該同一ユーザが所有または利用している他の端末Ａ−２のアクセス情報を取得して、発信先の番号または識別子と共に前記呼処理サーバに送信する通知ステップを行い、
前記呼処理サーバは、
前記発信側端末Ａ−２から取得した前記メッセージの識別子及び前記発信先情報に基づいて、前記アドレス変換サーバの前記メッセージ記憶手段にアクセスしてメッセージを取得し、該発信先情報に基づいて発信先に送信するメッセージ中継ステップを行い、
前記着信側の端末Ｂ−１は、
前記呼処理サーバから前記メッセージを受信すると、同一のユーザＢが所有または利用している少なくとも１つの他の端末Ｂ−２の識別子及びアクセスを可能とするアクセス情報を保持する第２の端末情報記憶手段を参照して、該メッセージを前記同一のユーザＢが所有または利用している他の端末Ｂ−２のいずれかに対して通知する第３の通知ステップを行い、
前記第３の通知ステップにより前記メッセージを受信した前記端末Ｂ−２は、
該メッセージに応じた動作を行うメッセージ実行ステップを行う
ことを特徴とする端末間連携方法。
【請求項６】
前記発信側端末A−1及び前記着信端末B−1は、
メッセージ送受信と同時に、メッセージの発信先、送信元の番号または識別子と共に、送受信の時刻を記録する履歴情報記憶手段を有し、
前記発信側端末A−1は、前記通知ステップにおいて、
前記履歴情報記憶手段を参照して、現在時刻に最も近い時刻の送受信の時刻の発信先または送信元の番号または識別子を、前記端末間通信サーバを介して該他の端末A−2に通知する
請求項５記載の端末間連携方法。
【請求項７】
前記アクセス情報としてＵＲＬを用いる
請求項４記載の端末間連携方法。
【請求項８】
発信側及び着信側のそれぞれのユーザが２つ以上の端末を利用している端末間連携システムにおけるアドレス変換サーバであって、
発信者側から前記着信者側に通知したいメッセージを発信者番号に対応させて格納するメッセージ記憶手段と、
複数の端末を有する発信者側の端末のうちの１つの端末より呼処理サーバを介して、発信者識別子とメッセージ番号を受信すると、該発信者識別子及び該メッセージ番号に基づいて前記メッセージ記憶手段を検索して、該当するメッセージを該呼処理サーバに返却するメッセージ検索手段と、
を有することを特徴とするアドレス変換サーバ。
【請求項９】
発信側及び着信側のそれぞれのユーザが２つ以上の端末を利用している端末間連携システムにおける呼処理サーバであって、
複数の端末を有する発信者側の端末のうちの１つの端末Aより、発信者番号とメッセージ通知要求を取得すると、該メッセージ通知要求に含まれるメッセージ番号及び該発信者識別子をアドレス変換サーバに送信することにより、メッセージを要求するメッセージ要求手段と、
前記メッセージ要求手段により前記アドレス変換サーバから取得したメッセージと前記発信者識別子を、前記端末Aのユーザと同一ユーザが所有する他の端末Bに対して送信するメッセージ転送手段と、
を有することを特徴とする呼処理サーバ。
【請求項１０】
発信側及び着信側のそれぞれのユーザが２つ以上の端末を所有または利用している端末間連携システムにおける端末間通信サーバであって、
同一のユーザが所有または利用している端末のうちの１つの端末A−1から、該ユーザが所有または利用している他の端末A−2への通知要求を受信すると、該通知要求に含まれる該端末A−1の発信者識別子を該端末A−2に通知する手段と、
着信側の端末B1から通知先端末情報及びURL情報を受信すると、該通知先端末情報に基づいて、該着信側の端末B−1の同一ユーザが所有または利用している端末B−2に対して該URL情報を送信する手段と、
を有することを特徴とする端末間通信サーバ。
【発明の詳細な説明】
【技術分野】
【０００１】
本発明は、端末間連携システム及び方法及びアドレス変換サーバ及び呼処理サーバ及び端末間通信サーバに係り、特に、同一ユーザが複数の端末を所有する環境において、発信側と着信側間で通信を行う場合に、同一ユーザの端末間において連携して通信を行うための端末間連携システム及び方法及びアドレス変換サーバ及び呼処理サーバ及び端末間通信サーバに関する。
【背景技術】
【０００２】
従来携帯端末への着信時に着信と同時に固定端末において何らかの動作を起こさせるために通知する方法としては、携帯端末間の発着信時にネットワーク側あるいは着信携帯端末から着信者の所有する固定端末に通知する技術がある（例えば、非特許文献１参照）。
【０００３】
具体的には、同一のユーザが所有する端末間で連携した動作を行うために、図１２に示すように、
（１）ユーザＡの電話端末からユーザＢの電話端末に対して発信すると、
（２）ユーザＢの電話端末は呼処理サーバを介して着信する。
【０００４】
（３）呼処理サーバは、ユーザＡから発信されると、ユーザＢへの着信通知をアドレス変換サーバに送信する。
【０００５】
（４）アドレス変換サーバは、ユーザＡからユーザＢへの着信通知を受信すると、当該着信通知のユーザＡ，ユーザＢの電話番号からユーザＡ，ユーザＢのＰＣ端末のＵＲＬに変換し、ユーザＢのＰＣ端末のＵＲＬに対して、ユーザＡのＵＲＬを通知する。
【０００６】
（５）  ユーザＢのＰＣ端末は、アドレス変換サーバから取得したユーザＡのＵＲＬを用いてインターネットを介してユーザＡのＵＲＬにアクセスする。
【先行技術文献】
【非特許文献】
【０００７】
【非特許文献１】清水他、「着信を契機とした発信者のURL通知方式の検討」、B-19-27, 2009年信学全大、2009年3月．
【発明の開示】
【発明が解決しようとする課題】
【０００８】
しかしながら、上記従来の非特許文献１の方法では、IMS(Internet protocol Multimedia Subsystem)網への着信を契機に網内の呼処理サーバがアドレス変換サーバに通知し、アドレス変換サーバが固定端末に情報を通知する。このため、発着信終了後に、着信側の携帯端末と固定端末を連携させるためのメッセージを通知することが困難である。
【０００９】
さらに、非特許文献１の方法では、発信側は単一の携帯端末を想定しており、発信側において発信を契機にして、他の端末にメッセージを通知することは困難である。
【００１０】
本発明は、上記の点に鑑みなされたもので、発着信が完了した後に、発信者側から任意のタイミングで、着信した端末とは異なる端末に対してメッセージを送信することができ、さらに、発信者側で発信端末と異なる端末に情報通知のための契機を発生させることが可能な端末間連携システム及び方法及びアドレス変換サーバ及び呼処理サーバ及び端末間通信サーバを提供することを目的とする。
【課題を解決するための手段】
【００１１】
上記の課題を解決するために、本発明（請求項１）は、発信側及び着信側のそれぞれのユーザが２つ以上の端末を利用している端末間連携システムであって、
発信側端末、着信側端末、前記発信者側から前記着信者側に通知したいメッセージを発信側端末の識別子と共に格納したメッセージ記憶手段を有するアドレス変換サーバ、呼処理サーバ、端末間通信サーバを有し、
前記発信側端末Ａ−１は、
同一ユーザＡが所有または利用している少なくとも１つの他の端末Ａ−２の識別子及びアクセスを可能とするアクセス情報を保持する第１の端末情報記憶手段と、
前記着信側端末が未応答のまま切断した後に、前記第１の端末情報記憶手段を参照して、前記同一ユーザが所有または利用している他の端末Ａ−２のアクセス情報を取得して、発信先の番号または識別子を前記端末間通信サーバを介して該他の端末Ａ−２に通知する第１の通知手段と、を有し、
前記端末Ａ−２は、
前記着信側端末に送信したいメッセージの識別子及び発信先情報を指定し、前記呼処理サーバに送信する第２の通知手段を有し、
前記呼処理サーバは、
前記端末Ａ−２から取得した前記メッセージの識別子及び前記発信先情報に基づいて、前記アドレス変換サーバにアクセスしてメッセージを取得し、該発信先情報に基づいて指定された発信先に送信するメッセージ中継手段を有し、
前記アドレス変換サーバは、
前記呼処理サーバからメッセージの要求があると前記メッセージ記憶手段からメッセージを検索して返却するメッセージ検索手段を有し、
前記着信側端末Ｂ−１は、
同一のユーザＢが所有または利用している少なくとも１つの他の端末Ｂ−２の識別子及びアクセスを可能とするアクセス情報を保持する第２の端末情報記憶手段と、
前記呼処理サーバを介して、前記メッセージを受信した際に、前記第２の端末情報記憶手段を参照して、該メッセージを前記同一のユーザＢが所有または利用している他の端末Ｂ−２のいずれかに対して通知する第３の通知手段と、を有し、
前記第３の通知手段により前記メッセージを受信した前記端末Ｂ−２は、
該メッセージに応じた動作を行うメッセージ実行手段を有する。
【００１２】
また、本発明（請求項２）は、請求項1の前記発信側端末Ａ−１及び前記着信端末Ｂ−１において、
メッセージ送受信と同時に、メッセージの発信先、送信元の番号または識別子と共に、送受信の時刻を記録する履歴情報記憶手段と、
前記第１の通知手段は、
前記履歴情報記憶手段を参照して、現在時刻に最も近い時刻の送受信の時刻の発信先または送信元の番号または識別子を、前記端末間通信サーバを介して該他の端末Ａ−２に通知するする手段を含む。
【００１３】
また、本発明（請求項３）は、請求項1の前記アクセス情報をＵＲＬとする。
【００１４】
また、本発明（請求項４）は、請求項1の前記メッセージ記憶手段に、前記メッセージの代わりに、発信者のＵＲＬを格納する。
【００１５】
また、本発明（請求項５）は、発信側及び着信側のそれぞれのユーザが２つ以上の端末が利用可能な環境において、メッセージを送受信する端末間連携方法であって、
発信側端末、着信側端末、前記発信者側から前記着信者側に通知したいメッセージを発信側端末の識別子と共に格納するメッセージ記憶手段を有するアドレス変換サーバ、呼処理サーバ、端末間通信サーバを有するシステムにおいて、
前記発信側の端末Ａ−１は、
前記着信側端末が未応答のまま切断した後に、同一ユーザＡが所有または利用している少なくとも１つの他の端末Ａ−２の識別子及びアクセスを可能とするアクセス情報を保持する第１の端末情報記憶手段を参照して、該同一ユーザが所有または利用している他の端末Ａ−２のアクセス情報を取得して、発信先の番号または識別子と共に前記呼処理サーバに送信する通知ステップを行い、
前記呼処理サーバは、
前記発信側端末Ａ−２から取得した前記メッセージの識別子及び前記発信先情報に基づいて、前記アドレス変換サーバの前記メッセージ記憶手段にアクセスしてメッセージを取得し、該発信先情報に基づいて発信先に送信するメッセージ中継ステップを行い、
前記着信側の端末Ｂ−１は、
前記呼処理サーバから前記メッセージを受信すると、同一のユーザＢが所有または利用している少なくとも１つの他の端末Ｂ−２の識別子及びアクセスを可能とするアクセス情報を保持する第２の端末情報記憶手段を参照して、該メッセージを前記同一のユーザＢが所有または利用している他の端末Ｂ−２のいずれかに対して通知する第３の通知ステップを行い、
前記第３の通知ステップにより前記メッセージを受信した前記端末Ｂ−２は、
該メッセージに応じた動作を行うメッセージ実行ステップを行う。
【００１６】
また、本発明（請求項６）は、請求項５の前記発信側端末A−1及び前記着信端末B−1において、
メッセージ送受信と同時に、メッセージの発信先、送信元の番号または識別子と共に、送受信の時刻を記録する履歴情報記憶手段を有し、
前記発信側端末A−1は、前記通知ステップにおいて、
前記履歴情報記憶手段を参照して、現在時刻に最も近い時刻の送受信の時刻の発信先または送信元の番号または識別子を、前記端末間通信サーバを介して該他の端末A−2に通知する。
【００１７】
また、本発明（請求項７）は、請求項５の前記アクセス情報をＵＲＬとする。
【００１８】
また、本発明（請求項８）は、発信側及び着信側のそれぞれのユーザが２つ以上の端末を利用している端末間連携システムにおけるアドレス変換サーバであって、
発信者側から前記着信者側に通知したいメッセージを発信者番号に対応させて格納するメッセージ記憶手段と、
複数の端末を有する発信者側の端末のうちの１つの端末より呼処理サーバを介して、発信者識別子とメッセージ番号を受信すると、該発信者識別子及び該メッセージ番号に基づいて前記メッセージ記憶手段を検索して、該当するメッセージを該呼処理サーバに返却するメッセージ検索手段と、を有する。
【００１９】
また、本発明（請求項９）は、発信側及び着信側のそれぞれのユーザが２つ以上の端末を利用している端末間連携システムにおける呼処理サーバであって、
複数の端末を有する発信者側の端末のうちの１つの端末Aより、発信者番号とメッセージ通知要求を取得すると、該メッセージ通知要求に含まれるメッセージ番号及び該発信者識別子をアドレス変換サーバに送信することにより、メッセージを要求するメッセージ要求手段と、
前記メッセージ要求手段により前記アドレス変換サーバから取得したメッセージと前記発信者識別子を、前記端末Aのユーザと同一ユーザが所有する他の端末Bに対して送信するメッセージ転送手段と、を有する。
【００２０】
また、本発明（請求項１０）は、発信側及び着信側のそれぞれのユーザが２つ以上の端末を所有または利用している端末間連携システムにおける端末間通信サーバであって、
同一のユーザが所有または利用している端末のうちの１つの端末A−1から、該ユーザが所有または利用している他の端末A−2への通知要求を受信すると、該通知要求に含まれる該端末A−1の発信者識別子を該端末A−2に通知する手段と、
着信側の端末B1から通知先端末情報及びURL情報を受信すると、該通知先端末情報に基づいて、該着信側の端末B−1の同一ユーザが所有または利用している端末B−2に対して該URL情報を送信する手段と、を有する。
【発明の効果】
【００２１】
上記のように、本発明によれば、ネットワークあるいは発信端末あるいは着信端末において終了した発着信に対する情報を保持する手段を有することにより、発着信が完了した後にも当該発着信に関わる情報を通知することが可能となる。
【００２２】
また、あるユーザが所有する端末（携帯・固定）の情報を、ネットワーク中あるいは端末内に保持する手段を有することにより、発信端末の所有者が発信に用いた端末とは別の端末により情報通知のための契機を発生させることが可能となる。
【００２３】
これにより、発信者は、発着信が終了した後に、特に、着信者が応答しなかった場合に、発信に用いた端末あるいは発信者が所有する別の端末から、着信者の着信端末あるいは着信者の所有する別の端末に情報を通知することができるようになる。
【図面の簡単な説明】
【００２４】
【図１】本発明の一実施の形態におけるシステム構成図である。
【図２】本発明の一実施の形態における携帯端末の構成図である。
【図３】本発明の一実施の形態における端末に蓄積されるデータの例である。
【図４】本発明の一実施の形態におけるアドレス変換サーバに蓄積されるデータの例である。
【図５】本発明の一実施の形態における動作のシーケンスチャートである。
【図６】本発明の一実施の形態における動作を示す図（その１）である。
【図７】本発明の一実施の形態における動作を示す図（その２）である。
【図８】本発明の一実施の形態における動作を示す図（その３）である。
【図９】本発明の一実施の形態における動作を示す図（その４）である。
【図１０】本発明の一実施の形態における送信端末側の動作のフローチャートである。
【図１１】本発明の一実施の形態における着信端末側の動作のフローチャートである。
【図１２】従来のメッセージ通信システムの例である。
【発明を実施するための形態】
【００２５】
以下図面と共に、本発明の実施の形態を説明する。
【００２６】
図１は、本発明の一実施の形態におけるシステム構成図である。
【００２７】
同図に示すシステムは、ユーザＡの電話端末１００Ａ，ユーザＢの電話端末１００Ｂ，ユーザＡのＰＣ端末２００Ａ１，２００Ａ２、ユーザＢのＰＣ端末２００Ｂ１，２００Ｂ２、呼処理サーバ３００、端末間通信サーバ４００、アドレス変換サーバ５００、インターネット６００、ユーザＡのＷｅｂサイト７００から構成される。なお、同図では、ユーザＢのＰＣ端末Ｂ２にインターネット６００が接続されているが、全てのＰＣ端末に接続されているものとする。
【００２８】
同図に示すように、本発明のは、同一のユーザが複数の端末を有する環境を前提とする。同図の例では、発信側のユーザＡは１台の携帯端末１００Ａと、２台のＰＣ端末２００Ａ１，２００Ａ２を有する。また、着信側のユーザＢも、同様に１台の携帯端末１００Ｂと、２台のＰＣ端末２００Ｂ１，２００Ｂ２を有するものとする。
【００２９】
同図の例では、ユーザＡ，Ｂの端末のみを記載したが、ネットワーク１に接続される端末はこの例に限定されることなく、実際にはＮ人ユーザが所有するＭ台の端末が接続されている。
【００３０】
ユーザＡ，Ｂの電話端末１００Ａ，Ｂは携帯端末であるものとし、以下携帯端末１００Ａ，１００Ｂと記す。なお、以下の例では、ユーザＡを送信側とし、ユーザＢを着信側として説明する。
【００３１】
図２は、本発明の一実施の形態における携帯端末の構成を示す。
【００３２】
ユーザＡ，Ｂの携帯端末１００Ａ，１００Ｂは、共通の構成を有する。
【００３３】
同図に示す携帯端末１００は、マイク・スピーカ１１０、ＵＩ（User Interface）部１２０、音声処理部１３０、制御部１４０、携帯電話用の無線部１５０、無線LAN(Local Area Network)またはPAN（Personal Area Network）用の無線部１６０、情報蓄積部１７０から構成される。情報蓄積部１７０は本実施の形態ではメモリとし、通知先端末情報記憶部１７１、その他の情報記憶部１７２、発信履歴ＤＢ１７３、着信履歴ＤＢ１７４を格納するものとする。
【００３４】
UI部１２０は、キーボード・液晶ディスプレイ等で構成される。制御部１４０からの指示により液晶ディスプレイに表示を行う共に、キーからの入力を制御部１４０に送信する。
【００３５】
音声処理部１３０は、音声通話の処理を行う。マイク・スピーカ部１１０と音声のやり取りを行い、D/A,A/D変換を行うと共に無線部（携帯電話）１５０との間で、音声データの送受信を行う。制御部１４０からの命令を受けて動作し、適宜必要なデータを制御部１４０に送信する。
【００３６】
制御部１４０は、無線部（携帯電話）１５０からのデータを受信し、受信したメッセージを無線部（携帯電話用）１５０及び無線部（無線LAN/PAN用等）１６０に送信する。この際には送信する宛先端末の情報も同時に送信する。送信する同一ユーザの宛先端末の情報は、情報蓄積部１７０の通知先端末情報記憶部１７１に保存されている。メッセージ情報の送信は必要に応じてUI部１２０からの入力により決定する。また、受信した情報を必要に応じてUI部１２０に出力する。また、無線部（携帯電話用）１５０及び無線部（LAN/PAN用等）１６０からURL情報の送信先端末の情報が入力された場合には必要に応じて情報蓄積部１７０の通信先端末情報記憶部１７１のデータの書き換えを行う。
【００３７】
携帯電話用の無線部１５０は、MAC(Media Access Control)・PHY(Physical Layer Specifications)・RF(Radio Frequency)部を含み、音声処理部１３０や制御部１４０から渡されたデータを携帯電話網に送信する。また、携帯電話網より受信したデータを音声処理部１３０、制御部１４０に送信する。
【００３８】
無線LAN／PAN用の無線部１６０は、MAC・PHY・RF部を含み、制御部１４０から渡されたデータを他の無線LAN装置・PAN装置に送信する。また、他の無線LAN装置、PAN装置より受信したデータを制御部１４０に送信する。また、他端末を検出したり、メッセージを無線LAN/PAN経由で送受信する場合に利用する。
【００３９】
情報蓄積部１７０は、送信端末情報を通信先端末情報記憶部１７１に蓄積し、その他各種データをその他データ記憶部１７２に、発着信の履歴を発信履歴ＤＢ１７３、着信履歴ＤＢ１７４に蓄積しており、制御部１４０からの指示により蓄積されたデータを制御部１４０に送信したり、蓄積されたデータの書き換えを行う。ユーザＡの携帯端末１００Ａでは、ＰＣ端末２００Ａからアドレス情報を収集して、ＰＣ端末２００Ａの識別子（例えばＵＲＬ）と対応付けて端末情報として通信先端末情報記憶部１７１に蓄積する。その他データ記憶部１７２に格納されるその他各種データとしては、例えば、自端末の番号、識別番号、契約条件等がある。発信履歴ＤＢ１７３には発信した時刻と発信先のユーザの識別子や番号等を格納する。また、着信履歴ＤＢ１７４には着信した時刻と発信元のユーザの識別子や番号等を格納する。
【００４０】
図３は、本発明の一実施の形態における端末に蓄積されるデータの例を示す。
【００４１】
同図（ａ）は、発信端末（ユーザＡの携帯端末１００Ａ）の蓄積部１７０の通知先端末情報記憶部１７１Ａに格納される通知先端末情報の例を示す。同図に示すように、通知先端末情報としてユーザＡのＰＣ端末の識別子とアドレスが格納される。
【００４２】
同図（ｂ）は、着信端末（ユーザＢの携帯端末１００Ｂ）の蓄積部１７０の通知先端末情報記憶部１７１Ｂに格納される通知先端末情報の例を示す。同図に示すように、通知先端末情報としてユーザＢのＰＣ端末の識別子とアドレスが格納される。
【００４３】
同図（ｃ）は、蓄積部１７０の発信履歴ＤＢ１７３Ａに格納される発信履歴の例を示す。同図に示すように、発信履歴情報として、発信日時と発信先の識別子が格納される。
【００４４】
同図（ｄ）は、蓄積部１７０の着信履歴ＤＢ１７３Ｂに格納される着信履歴の例を示す。同図に示すように、着信履歴情報として、着信日時と発信元の識別子が格納される。
【００４５】
呼処理サーバ３００は、ユーザＡから発呼されると、当該ユーザＡの携帯端末１００Ａからの着信通知をアドレス変換サーバ５００に通知する。
【００４６】
アドレス変換サーバ５００は、各携帯端末１００の電話番号（識別子）に対応する固定端末（ＰＣ端末）のＵＲＬ情報が格納されたユーザ情報ＤＢ５１０と、携帯端末の電話番号（識別子）に対応する１つ以上のメッセージが格納されたメッセージＤＢ５２０を有する。当該アドレス変換サーバ５００のメッセージＤＢ５２０の例を図４に示す。同図に示すように、メッセージＤＢ５２０には、発信電話番号と、各発信電話番号に対応するメッセージが格納される。ここで、メッセージとしては、例えば、
http://www.example.co.jp/~foo/
のような発信者URLであってもよい。このように発信者URLをメッセージの代わりに用いることにより、着信者は当該URLにアクセスし、当該URLから情報を取得することができる。本実施の形態では、アドレス変換サーバ５００は、呼処理サーバ３００から取得した発信元の電話番号（携帯端末１００Ａの電話番号（識別子））とメッセージ番号に基づいてメッセージを選択して呼処理サーバ３００に返却するものとする。
【００４７】
端末間通信サーバ４００は、固定端末情報を受信すると、固定端末情報に指定された固定端末に対して発信元であるユーザＡの番号を通知する。
【００４８】
上記の構成におけるシステムの一連の動作を説明する。
【００４９】
図５は、本発明の一実施の形態における動作のシーケンスチャートであり、図６〜図９は、各動作を示す。
【００５０】
ステップ１０１）  ユーザＡの携帯端末１００Ａは、ユーザＡが所有する固定端末（ＰＣ端末）２００Ａ１，２００Ａ２の情報を無線部１６０を介して、以下のような手段で収集し、携帯端末１００Ａの情報蓄積部１７０の通知先端末情報記憶部１７１Ａに格納する（図６）。
【００５１】
ａ． Bluetooth等の近距離無線経由で収集；
ｂ．LAN経由で収集；
ｃ．ネットワーク経由で収集；
ｄ．ユーザの手入力；
ステップ１０２）  ユーザＢの携帯端末１００Ｂは、ユーザＢが所有する固定端末（ＰＣ端末）２００Ｂ１，２００Ｂ２の情報を上記のステップ１０１と同様に収集し、携帯端末１００Ｂの情報蓄積部１７０の通知先端末情報記憶部１７１Ｂに格納する（図６）。
【００５２】
ステップ１０３）  アドレス変換サーバ５００は、発信者（ユーザＡ）の発信電話端末番号に対応するメッセージをメッセージＤＢ５２０に保持する（図６）。
【００５３】
ステップ１０４）  ユーザＡの携帯端末１００Ａは、ユーザＢの携帯端末１００Ｂに発信する（図７）。このとき、携帯端末１００Ａは、発信履歴ＤＢ１７３Ａに発信先（携帯端末１００B）の識別子とタイマ（図示せず）から取得した時刻を記録する。
【００５４】
ステップ１０５）  ユーザＢの携帯端末１００Ｂは、呼処理サーバ３００を介してユーザＡから着信する（図７）。このとき、携帯端末１００Ｂは、着信履歴ＤＢ１７３Ｂに発信元の識別子とタイマ（図示せず）から取得した時刻を記録する。
【００５５】
ステップ１０６）  ユーザＢの携帯端末１００Ｂはユーザの応答待ちである旨を呼処理サーバ３００に通知する（図７）。
【００５６】
ステップ１０７）  呼処理サーバ３００はユーザＡに対して応答待ちである旨を通知する（図７）。
【００５７】
ステップ１０８）  携帯端末１００Ｂは応答せず（応答していてもよい）（図７）。
【００５８】
ステップ１０９）  携帯端末１００Ｂは切断する（図７）。
【００５９】
ステップ１１０）  携帯端末１００Ａは情報蓄積部１７０に保持している固定端末情報の中から１つの固定端末（ＰＣ端末２００Ａ１）を選択し、携帯端末１００Ａが発信した端末（携帯端末１００Ｂ）の番号を端末間通信サーバ４００に通知する（図８）。なお、このとき、発信履歴ＤＢ１７３Ａ、着信履歴ＤＢ１７４Ａを参照して、現在時刻に最も近い時間に送受信した送信先や送信元を指定するようにしてもよい。
【００６０】
ステップ１１１）  端末間通信サーバ４００は携帯端末１００Ａが発信した端末（携帯端末１００B）の番号を指定された固定端末（ＰＣ端末２００Ａ１）に通知する（図８）。
【００６１】
ステップ１１２）  番号を通知された固定端末（ＰＣ端末２００Ａ１）は、呼処理サーバ３００に対して携帯端末１００Ｂの番号と通知するメッセージを通知する。このとき、通知するメッセージは任意の文字列でも構わないし、予めメッセージＤＢ５２０に蓄積されているメッセージ番号を選択する、のどちらでも構わない（図９）。
【００６２】
ステップ１１３）  アドレス変換サーバ５００のメッセージＤＢ５２０に蓄積されているメッセージから選択する場合、呼処理サーバ３００はアドレス変換サーバ５００内のメッセージＤＢ５２０に問い合わせを行う（図９）。アドレス変換サーバ５００は、メッセージＤＢ５２０から指定されたメッセージ番号に対応するメッセージを検索して呼処理サーバ３００に通知する（図９）。
【００６３】
ステップ１１５）  呼処理サーバ３００は、メッセージを発信元番号と共に携帯端末１００Ｂに通知する（図９）
ステップ１１６）  携帯端末１００Ｂは、通知先情報蓄積部１７０に保持している固定端末情報の中から１つの固定端末（ＰＣ端末２００Ｂ１）を選択し、呼処理サーバ３００から通知されたメッセージと携帯端末１００Ａの番号（発信元番号）を端末間通信サーバ４００に通知する（図８）。
【００６４】
ステップ１１７）  端末間通信サーバ４００は、選択された固定端末（ＰＣ端末２００Ｂ１）にメッセージと発信元番号を通知する（図８）。
【００６５】
ステップ１１８）  メッセージを通知された固定端末（ＰＣ端末２００Ｂ１）は、予め指定された動作を行う。なお、想定される動作としては、通知されたメッセージを携帯端末１００Ａの番号と共に表示する、通知されたメッセージがURLの場合は、当該URLにインターネットを介してアクセスする、等が考えられる。また、メッセージを表示した固定端末（ＰＣ端末２００Ｂ１）上から携帯端末１００Ａと携帯端末１００Ｂの間の3PCC(3rd Party Call Control：第三者による呼制御）を実施することも考えられる。
【００６６】
次に、送信端末側（ユーザＡ携帯端末）の動作を説明する。
【００６７】
図１０は、本発明の一実施の形態における送信端末の動作のフローチャートである。
【００６８】
以下の動作を行う前に、通話等の通信は切断されているものとする。
【００６９】
ステップ２０１）  ユーザＡの携帯端末１００Ａの制御部１４０は、情報蓄積部１７０を参照して通知先端末情報があるかを判定し、ある場合はステップ２０２に移行し、無い場合は処理を終了する。
【００７０】
ステップ２０２）  ユーザから入力を待機する。
【００７１】
ステップ２０３）  ユーザから通知指示及び通知先端末の指定があった場合はステップ２０４に移行し、無い場合は、入力を待機する。
【００７２】
ステップ２０４）  ユーザから通知不要が選択されている場合は処理を終了し、選択されていな場合ステップ２０５に移行する。
【００７３】
ステップ２０５）  端末間通知サーバ４００に、自端末の識別子と通知先端末の情報を送信する。なお、このとき、発信履歴ＤＢ１７３Ａ、着信履歴ＤＢ１７４Ａを参照して現在時刻に最も近い時間に送受信した送信先や送信元の番号または識別子を通知先端末の情報として送信するようにしてもよい。
【００７４】
なお、上記のステップ２０２〜２０４の処理は、ユーザからの入力がないまま端末間通信サーバ４００に通知する場合は不要である。また、ステップ２０３の処理は通知先端末の指定をしない場合は不要である。
【００７５】
次に、着信端末側（ユーザＢ携帯端末）の動作を説明する。
【００７６】
図１１は、本発明の一実施の形態における着信端末の動作のフローチャートである。
【００７７】
以下の動作を行う前に、ユーザＡからのメッセージを受信しているものとする。
【００７８】
ステップ３０１）  ユーザＢの携帯端末１００Ｂの制御部１４０は、情報蓄積部１７０を参照して通知先端末情報があるかを判定し、ある場合はステップ３０２に移行し、無い場合は処理を終了する。
【００７９】
ステップ３０２）  ユーザから入力を待機する。
【００８０】
ステップ３０３）  ユーザから通知指示及び通知先端末の指定があった場合はステップ３０４に移行し、無い場合は、入力を待機する。
【００８１】
ステップ３０４）  ユーザから通知不要が選択されている場合は処理を終了し、選択されていな場合ステップ３０５に移行する。
【００８２】
ステップ３０５）  端末間通知サーバ４００に、自端末の識別子と通知先端末の情報を送信する。なお、このとき、発信履歴ＤＢ１７３Ｂ、着信履歴ＤＢ１７４Ｂを参照して現在時刻に最も近い時間に送受信した送信先や送信元の番号または識別子を通知先端末の情報として送信するようにしてもよい。
【００８３】
なお、上記のステップ３０２〜３０４の処理は、ユーザからの入力がないまま端末間通信サーバ４００に通知する場合は不要である。また、ステップ３０３の処理は通知先端末の指定をしない場合は不要である。
【００８４】
上記のように、本実施の形態によれば、発信側の携帯端末１００Ａと着信側の携帯端末１００Ｂ間の通信において、着信側の携帯端末１００Ｂが応答せずに切断された場合であっても、予めネットワーク上に発信側及び着信側の端末の情報及びメッセージを保持しておくことにより、同一の発信者が所有する別の端末（ＰＣ端末２００Ａ１、または２００Ａ２）から、同じ着信者が有する発信先の携帯端末１００Ｂ以外の端末（ＰＣ端末２００Ｂ１，または、２００Ｂ２）に対してメッセージを送信することが可能となり、着信側では受信したメッセージ応じた処理を実行することが可能となる。
【００８５】
なお、本発明は、上記の実施の形態に限定されることなく、特許請求の範囲内において、種々変更・応用が可能である。
【符号の説明】
【００８６】
１  ネットワーク
１００  携帯端末
１１０  マイク・スピーカ
１２０  ＵＩ（ユーザインタフェース）部
１３０  音声処理部
１４０  制御部
１５０  無線部（携帯電話）
１６０  無線部（無線LAN/PAN等）
１７０  情報蓄積部
１７１  通知先端末情報記憶部
１７２  その他情報記憶部
１７３  発信履歴ＤＢ
１７４  着信履歴ＤＢ
１７２  その他情報記憶部
２００  ＰＣ端末（固定端末）
３００  呼処理サーバ
４００  端末間通信サーバ
５００  アドレス変換サーバ
５１０  発信ユーザ情報ＤＢ
５２０  メッセージＤＢ
６００  インターネット
７００  ユーザＡのＷｅｂサイト
【図１】
2012023570.tif 000003
【図２】
2012023570.tif 000004
【図３】
2012023570.tif 000005
【図４】
2012023570.tif 000006
【図５】
2012023570.tif 000007
【図６】
2012023570.tif 000008
【図７】
2012023570.tif 000009
【図８】
2012023570.tif 000010
【図９】
2012023570.tif 000011
【図１０】
2012023570.tif 000012
【図１１】
2012023570.tif 000013
【図１２】
2012023570.tif 000014